(57)【要約】【課題】より安価で簡易な、ゴルフボールの挙動を解析する解析システムを提供することができるようにする。【解決手段】制御部２３は、高速撮影の開始準備ができたか否かを判定し、高速撮影の開始準備ができたと判定した場合、撮像部１１に高速撮影を開始させる。制御部２３は、インパクトの瞬間として、ゴルフボールが動き始めた瞬間を、高フレームレート画像から検出して、検出されたインパクトの瞬間から連続する所定枚数の高フレームレート画像のなかから、２枚の高フレームレート画像を選択し、選択された２枚の高フレームレート画像に基づいて、ゴルフボールの挙動を解析する。本発明は、例えば、ゴルフボールの解析システムに適用できる。【選択図】図２
2013236659.tif 000002
【特許請求の範囲】
【請求項１】
ゴルフボールの挙動を解析する解析システムであって、
１００フレーム／秒以上の高フレームレートで前記ゴルフボールを高速撮影する撮像部と、
前記撮像部が前記高速撮影を開始するタイミングに同期して点灯するLEDと、
前記高速撮影により得られた複数の高フレームレート画像を記憶するメモリと、
前記メモリに記憶された前記複数の高フレームレート画像に基づいて、前記ゴルフボールの挙動を解析する制御部と
を備え、
前記制御部は、
前記高速撮影の開始準備ができたか否かを判定し、前記高速撮影の開始準備ができたと判定した場合、前記撮像部に前記高速撮影を開始させ、
インパクトの瞬間として、前記ゴルフボールが動き始めた瞬間を、前記高フレームレート画像から検出して、
検出された前記インパクトの瞬間から連続する所定枚数の前記高フレームレート画像のなかから、２枚の高フレームレート画像を選択し、
選択された前記２枚の高フレームレート画像に基づいて、前記ゴルフボールの挙動を解析する
解析システム。
【請求項２】
前記撮像部は、前記制御部において前記高速撮影の開始準備ができたと判定される前は、前記高フレームレートよりも低い低フレームレートで撮像を行い、
前記制御部は、前記低フレームレートで撮像された画像を用いて、前記ゴルフボールが静止した状態を検出した場合に、前記高速撮影の開始準備ができたと判定する
請求項１に記載の解析システム。
【請求項３】
前記LEDは、前記撮像部が高速撮影する瞬間のみ点灯する
請求項１に記載の解析システム。
【請求項４】
前記ゴルフボールを打撃するゴルフクラブのクラブヘッドを検出するドップラセンサをさらに備え、
前記制御部は、前記ドップラセンサのドップラ信号に基づいて、前記クラブヘッドが検出された場合に、前記高速撮影の開始準備ができたと判定する
請求項１に記載の解析システム。
【請求項５】
１００フレーム／秒以上の高フレームレートでゴルフボールを高速撮影する撮像部と、
前記撮像部が前記高速撮影を開始するタイミングに同期して点灯するLEDと、
前記高速撮影により得られた複数の高フレームレート画像を記憶するメモリと、
前記メモリに記憶された前記複数の高フレームレート画像に基づいて、前記ゴルフボールの挙動を解析する制御部と
を備える解析システムの解析方法であって、
前記制御部が、
前記高速撮影の開始準備ができたか否かを判定し、前記高速撮影の開始準備ができたと判定した場合、前記撮像部に前記高速撮影を開始させ、
インパクトの瞬間として、前記ゴルフボールが動き始めた瞬間を、前記高フレームレート画像から検出して、
検出された前記インパクトの瞬間から連続する所定枚数の前記高フレームレート画像のなかから、２枚の高フレームレート画像を選択し、
選択された前記２枚の高フレームレート画像に基づいて、前記ゴルフボールの挙動を解析する
解析システムの解析方法。
【発明の詳細な説明】
【技術分野】
【０００１】
本発明は、解析システムおよびその解析方法に関し、特に、より安価で簡易な、ゴルフボールの挙動を解析する解析システムを提供することができるようにする解析システムおよびその解析方法に関する。
【背景技術】
【０００２】
ゴルフの上達にはスイング動作やゴルフクラブの性能が関係する。そのため、ゴルフ練習場やゴルフクラブ等を販売する販売店では、プレーヤであるユーザがゴルフボールを打ったときのスイング動作を解析したり、ゴルフボールの飛距離や軌道をシミュレートする解析装置が置かれている。このような解析装置において、プレーヤが注目する解析項目として、ゴルフボールを打つ瞬間であるインパクト時のボールスピードやクラブヘッド（ゴルフクラブのヘッド）の挙動がある。
【０００３】
従来、地面に垂直な方向と、ボールの飛球方向と直交する方向の、２方向の基準線をクラブヘッドに描いて、インパクト前後のスイング動作を連続ストロボ撮像し、得られた画像を重畳表示して基準線の変化を見ることで、クラブヘッドの挙動を確認できるようにしたものがある（例えば、特許文献１参照）。
【０００４】
また例えば、白色の下地に黒色の図形が一列に並ぶマーキングを、クラブヘッドのバックフェース部に、クラブヘッドのソール−クラウン方向に少なくとも３列以上、かつ、トウ−ヒール方向に複数形成し、スイング動作時のマーキングをラインセンサカメラで検出することにより、クラブヘッドの挙動を確認できるようにしたものもある（例えば、特許文献２参照）。
【先行技術文献】
【特許文献】
【０００５】
【特許文献１】特許第３７１２４５９号公報
【特許文献２】特開２００５−３１２７３４号公報
【発明の概要】
【発明が解決しようとする課題】
【０００６】
しかしながら、ゴルフ練習場やゴルフクラブ等を販売する販売店に置かれるような解析装置は、解析精度は高いが高価である。また、装置サイズが大きく、場所を固定して設置する据え置きタイプであり、例えば、一般のプレーヤが購入し、ゴルフ練習場に持ち込んで利用するのには不向きである。
【０００７】
本発明は、このような状況に鑑みてなされたものであり、より安価で簡易な、ゴルフボールの挙動を解析する解析システムを提供することができるようにするものである。
【課題を解決するための手段】
【０００８】
本発明の一側面の解析システムは、ゴルフボールの挙動を解析する解析システムであって、１００フレーム／秒以上の高フレームレートで前記ゴルフボールを高速撮影する撮像部と、前記撮像部が前記高速撮影を開始するタイミングに同期して点灯するLEDと、前記高速撮影により得られた複数の高フレームレート画像を記憶するメモリと、前記メモリに記憶された前記複数の高フレームレート画像に基づいて、前記ゴルフボールの挙動を解析する制御部とを備え、前記制御部は、前記高速撮影の開始準備ができたか否かを判定し、前記高速撮影の開始準備ができたと判定した場合、前記撮像部に前記高速撮影を開始させ、インパクトの瞬間として、前記ゴルフボールが動き始めた瞬間を、前記高フレームレート画像から検出して、検出された前記インパクトの瞬間から連続する所定枚数の前記高フレームレート画像のなかから、２枚の高フレームレート画像を選択し、選択された前記２枚の高フレームレート画像に基づいて、前記ゴルフボールの挙動を解析する。
【０００９】
本発明の一側面の解析システムの解析方法は、１００フレーム／秒以上の高フレームレートでゴルフボールを高速撮影する撮像部と、前記撮像部が前記高速撮影を開始するタイミングに同期して点灯するLEDと、前記高速撮影により得られた複数の高フレームレート画像を記憶するメモリと、前記メモリに記憶された前記複数の高フレームレート画像に基づいて、前記ゴルフボールの挙動を解析する制御部とを備える解析システムの解析方法であって、前記制御部が、前記高速撮影の開始準備ができたか否かを判定し、前記高速撮影の開始準備ができたと判定した場合、前記撮像部に前記高速撮影を開始させ、インパクトの瞬間として、前記ゴルフボールが動き始めた瞬間を、前記高フレームレート画像から検出して、検出された前記インパクトの瞬間から連続する所定枚数の前記高フレームレート画像のなかから、２枚の高フレームレート画像を選択し、選択された前記２枚の高フレームレート画像に基づいて、前記ゴルフボールの挙動を解析する。
【００１０】
本発明の一側面においては、高速撮影の開始準備ができたか否かが判定され、高速撮影の開始準備ができたと判定された場合、撮像部で高速撮影が開始され、インパクトの瞬間として、ゴルフボールが動き始めた瞬間が、高フレームレート画像から検出されて、検出されたインパクトの瞬間から連続する所定枚数の高フレームレート画像のなかから、２枚の高フレームレート画像が選択され、選択された２枚の高フレームレート画像に基づいて、ゴルフボールの挙動が解析される。
【発明の効果】
【００１１】
本発明の一側面によれば、より安価で簡易な、ゴルフボールの挙動を解析する解析システムを提供することができる。
【図面の簡単な説明】
【００１２】
【図１】本発明を適用した解析システムの一実施の形態の構成例を示す図である。
【図２】撮像装置と解析装置の第１の構成例を示すブロック図である。
【図３】第１の解析処理を説明するフローチャートである。
【図４】撮像領域全体と監視エリアとの関係を示す図である。
【図５】図３のステップＳ６およびステップＳ７の処理を説明する図である。
【図６】撮像装置と解析装置の第２の構成例を示すブロック図である。
【図７】第２の解析処理を説明するフローチャートである。
【図８】本発明を適用したコンピュータの一実施の形態の構成例を示すブロック図である。
【発明を実施するための形態】
【００１３】
［解析システムの構成例］
図１は、本発明を適用した解析システムの一実施の形態の構成例を示している。
【００１４】
図１の解析システムは、撮像装置１と解析装置２とで構成され、プレーヤがゴルフクラブ３でゴルフボール４を打撃したときのゴルフボール４の挙動を解析する。また、解析システムは、ゴルフクラブ３のクラブヘッドの挙動を解析することもできる。
【００１５】
撮像装置１は、プレーヤがゴルフクラブ３をスイングして、所定の位置に置かれたゴルフボール４を打撃したときのゴルフボール４を撮像する。解析装置２は、撮像装置１で撮像されて得られたゴルフボール４の画像から、ゴルフボール４の挙動、具体的には、ゴルフボール４の速度（ボールスピード）、回転（スピン）、飛球方向などを解析し、ディスプレイに解析結果を表示する。撮像装置１は、図１に示されるように、ゴルフボール４を挟んでプレーヤと対向する位置に配置され、USB（Universal Serial Bus）ケーブルなどで解析装置２と接続されている。
【００１６】
［撮像装置と解析装置の第１の構成例］
図２は、撮像装置１と解析装置２の第１の構成例を示すブロック図である。
【００１７】
撮像装置１は、撮像部１１とLED(Light Emitting Diode）１２とを有する。
【００１８】
解析装置２は、ループメモリ２１、データ記憶部２２、制御部２３、表示部２４、および操作入力部２５を有する。解析装置２は、携帯型のパーソナルコンピュータ、スマートフォン、タブレット端末、などの携帯端末などで構成することができる。なお、解析装置２が撮像装置１の構成も含んで構成することにより、撮像装置１と解析装置２が物理的に一つの解析装置として構成されていてもよい。
【００１９】
撮像部１１は、CCD(Charge Coupled Device)やCMOS（Complementary Mental Oxide Semiconductor）センサ等の撮像素子により構成される。撮像部１１は、解析装置２の制御部２３からの制御に基づいて撮像を行い、撮像結果の画像を制御部２３に供給する。具体的には、撮像部１１は、制御部２３から高速撮影の開始が指令されるまでは、低フレームレート（例えば、６０フレーム／秒）で撮像を行い、撮像結果を制御部２３に供給する。そして、制御部２３から高速撮影の開始が指令された後は、撮像部１１は、それまでよりも高フレームレートで撮像を行い、撮像結果を制御部２３に供給する。本実施の形態では、高フレームレートで撮像を行う場合（高速撮影）のフレームレートは、１０００フレーム／秒とする。
【００２０】
LED１２は、制御部２３からの制御に基づいて、可視光または赤外光による点滅（一定の時間間隔の点灯）を行う。より具体的には、LED１２は、撮像部１１が高速撮影するタイミングに同期して点滅する。
【００２１】
ループメモリ２１は、画像を所定枚数記憶する記憶容量を有し、記憶容量一杯に画像が記憶された状態で次の画像が供給されたときには、記憶した時刻が最も古い画像から順次上書きして更新するバッファメモリである。ループメモリ２１は、制御部２３を介して供給される、撮像部１１が高速撮影したときの画像（以下、高フレームレート画像ともいう。）を所定枚数（例えば、２０枚）記憶する。
【００２２】
データ記憶部２２は、解析装置２の制御や処理に必要なデータ（プログラムも含む）を記憶する。例えば、データ記憶部２２は、撮像部１１で低フレームレートで撮像されて供給される撮像画像を一時記憶する。
【００２３】
制御部２３は、撮像装置１と解析装置２全体を制御する。具体的には、制御部２３は、撮像部１１に低フレームレートの撮像を指令し、撮像部１１から供給される低フレームレートの撮像画像に基づいて、高速撮影を開始するかどうかを判定する。そして、制御部２３は、高速撮影を開始すると判定した場合、撮像部１１に高速撮影を指令し、撮像部１１から供給される高フレームレート画像をループメモリ２１に記憶させる。さらに、制御部２３は、ループメモリ２１に記憶された複数枚の高フレームレート画像のなかから、所定の２枚を選択して、選択した２枚から、ゴルフボール４のボールスピード、回転数などを解析し、解析結果を表示部２４に表示させる。
【００２４】
表示部２４は、制御部２３から供給される画像や解析結果を表示する。具体的には、表示部２４は、ボールスピードの解析のために選択された２枚の高フレームレートの画像を表示したり、解析結果としてのボールスピード、回転数などを表示する。
【００２５】
操作入力部２５は、操作ボタン、キーボード、スイッチ等で構成され、解析処理を実行するプログラムの起動、測定開始などのユーザの操作を受け付け、制御部２３に供給する。
【００２６】
［第１の解析処理のフローチャート］
図３のフローチャートを参照して、解析システムの第１の構成例による第１の解析処理を説明する。この処理は、例えば、操作入力部２５において、ユーザによって「測定開始」が指示されたときに開始される。
【００２７】
初めに、ステップＳ１において、制御部２３は、低フレームレートの撮像を開始させる指令を、撮像部１１に供給する。撮像部１１は、制御部２３からの指令に基づいて、例えば、６０フレーム／秒で撮像を行い、撮像結果を制御部２３に供給する。
【００２８】
ステップＳ２において、制御部２３は、撮像部１１から供給される低フレームレートの撮像画像の領域に対して予め設定された監視エリアに対して、データ記憶部２２に予め記憶されているゴルフボール４の画像とパターンマッチングを行い、監視エリア内にゴルフボール４が検出されたか否かを判定する。
【００２９】
図４は、撮像部１１から供給される撮像画像と監視エリアとの関係を示している。図４Ａは、ゴルフボール４が置かれる前の撮像画像の例を示し、図４Ｂは、ゴルフボール４が置かれた後の撮像画像の例を示している。
【００３０】
プレーヤは、ゴルフボール４の試打を行う場合に、自分の立ち位置に対して一定の場所にゴルフボール４を置くのが通常である。したがって、ゴルフボール４が置かれたかどうかを判定するためには、図４に示されるように、撮像部１１で撮像可能な撮像領域全体のうち、ゴルフボール４を置く位置の近傍の領域のみを監視エリアとして設定することができる。これにより、パターンマッチングの処理時間を短時間で行うことができる。
【００３１】
ステップＳ２で、撮像画像の監視エリア内に、ゴルフボール４が検出されていないと判定された場合、処理はステップＳ１に戻される。
【００３２】
一方、ステップＳ２で、監視エリア内にゴルフボール４が検出されたと判定された場合、処理はステップＳ３に進み、制御部２３は、パターンサーチされたゴルフボール４の位置（座標）に基づいて、監視エリア内のゴルフボール４が一定期間静止しているかを判定する。
【００３３】
ステップＳ３で、ゴルフボール４が一定期間静止していないと判定された場合、処理はステップＳ１に戻り、上述した処理が繰り返される。したがって、プレーヤがゴルフボール４を所定の位置に置いて、ボールの動きが停止するまでは、ゴルフボール４の検出が継続して実行される。
【００３４】
一方、ステップＳ３で、ゴルフボール４が一定期間静止していると判定された場合、処理はステップＳ４に進み、制御部２３は、撮像部１１に高速撮影を開始させるとともに、高速撮影に同期してLED１２を点滅させる。そして、制御部２３は、撮像部１１から順次供給される高フレームレート画像をループメモリ２１に記憶させる。
【００３５】
ステップＳ５において、制御部２３は、撮像部１１から順次供給される高フレームレート画像の監視エリアのゴルフボール４を検出し、検出されたゴルフボール４の位置（座標）に基づいて、ゴルフボール４が動いたか否かを判定する。ステップＳ５の処理は、所定の位置に置かれたゴルフボール４がゴルフクラブ３で打撃されることにより動いた瞬間をインパクトの瞬間として検出する処理である。この処理は、ゴルフボール４が動いたと判定されるまで、繰り返し実行される。
【００３６】
そして、ステップＳ５で、ゴルフボール４が動いたと判定された場合、処理はステップＳ６に進み、制御部２３は、検出されたインパクトの瞬間から、予め定めた所定数、例えば、１０フレームまでの高フレームレート画像を、ループメモリ２１に記憶されている画像のなかから特定する。
【００３７】
そして、ステップＳ７において、制御部２３は、特定された１０フレームの高フレームレート画像のなかから、ゴルフボール４が撮像されている２枚の高フレームレート画像を、解析用画像として選択する。
【００３８】
図５は、ステップＳ６およびステップＳ７の処理を説明する図である。
【００３９】
図５は、ループメモリ２１に記憶されている高フレームレート画像から特定された、インパクトの瞬間から４フレーム目までの高フレームレート画像が示されている。図５において、各高フレームレート画像の上側には、それぞれの高フレームレート画像が撮像されたときのLED１２の点灯タイミングを示す制御パルスが示されており、LED１２が高フレームレート画像の撮像に同期して点灯（点滅）していることが分かる。
【００４０】
図５の例では、例えば、２フレーム目と４フレーム目の高フレームレート画像が、解析用画像として選択されている。なお、ゴルフボール４が撮像されている２枚の高フレームレート画像が３枚以上存在する場合に、どの画像を解析用画像として選択するかは、例えば、ゴルフボール４が撮像されている最初の２枚の画像、最初と最後の２枚の画像など、のように予め決定しておく。
【００４１】
図３に戻り、ステップＳ８において、制御部２３は、特定された２枚の高フレームレート画像から、ゴルフボール４の挙動、例えば、ボールスピードを解析し、解析結果を表示部２４に表示して、処理を終了する。
【００４２】
インパクト直後のゴルフボール４が映る２枚の高フレームレート画像から、ゴルフボール４の速度、並びに、ゴルフボール４の単位時間当たりの回転数および回転方向は、例えば、次のような方法で算出することができる。ゴルフボール４には、その表面に、ゴルフボールメーカのメーカ名またはブランド名の文字やマーク（ロゴ）が付されていることが多い。制御部２３は、ゴルフボール４の表面に付されている文字やマークの一部を特徴点として検出する。そして、１回目の撮像により得られた第１の画像と、２回目の撮像により得られた第２の画像とで、対応する特徴点どうしの位置を比較することにより、ゴルフボール４の移動距離、回転数および回転方向が算出される。ゴルフボール４の移動距離を、第１の画像と第２の画像の撮像時間間隔で除算することで、ゴルフボール４の速度が求められる。ゴルフボール４の速度、並びに、単位時間当たりのゴルフボール４の回転数および回転方向の詳細な算出方法については、例えば、本出願人の先願である特開2009-247642号公報に開示されている。
【００４３】
以上のように、第１の解析処理では、制御部２３は、撮像装置１により撮像された低フレームレートの画像に基づいて、ゴルフボール４が静止した状態を検出したとき、高速撮影の開始準備ができたと判定し、高速撮影を開始させる。次に、制御部２３は、ゴルフボール４が動き始めた瞬間を、インパクトの瞬間として検出して、インパクト後の２枚の高フレームレート画像を特定し、ゴルフボール４の挙動を解析する。プレーヤは、撮像装置１の撮像領域内にゴルフボール４が置かれるようにセッティングするだけなので、簡単に、ゴルフボール４の挙動を解析することができる。また、解析装置２としての携帯端末に、撮像部１１とLED１２を備える撮像装置１があれば、ゴルフボール４の挙動を解析することができるので、安価なシステムを構築することができる。すなわち、より安価で簡易な、ゴルフボールの挙動を解析する解析システムを提供することができる。
【００４４】
第１の構成の解析システムでは、高速撮影のタイミングに同期してLED１２が点灯（点滅）するので、常時点灯する場合と比べて消費電力を低減することができ、乾電池、バッテリ等での動作も可能である。
【００４５】
なお、インパクト後に高速移動するゴルフボール４が、予め定めた所定数の高フレームレート画像にできるだけ映るようにするためには、ゴルフボール４の静止位置および監視エリアは、右打ちのプレーヤであれば、画像の左側半分、左打ちのプレーヤであれば、画像の右側半分の領域とすることが望ましい。そして、このことを前提条件として、画像の左側半分に静止しているゴルフボール４が検出された場合は右打ち、画像の右側半分に静止しているゴルフボール４が検出された場合は左打ち、のように、右打ちと左打ちを自動判別することができる。勿論、右打ちと左打ちの判別は、ユーザの設定操作に基づいて行ってもよい。
【００４６】
また、上述した例では、インパクトの瞬間から時間的に後ろの複数の高フレームレート画像から、ゴルフボール４の挙動を解析したが、インパクトから時間的に前の複数の高フレームレート画像を特定するようにして、ゴルフクラブ３の挙動を解析してもよい。また、インパクト前後の所定数の高フレームレート画像を特定して、ゴルフクラブ３とゴルフボール４の両方の挙動を同時に解析することも可能である。
【００４７】
［撮像装置と解析装置の第２の構成例］
図６は、撮像装置１と解析装置２の第２の構成例を示すブロック図である。
【００４８】
図６において、上述した第１の構成例と対応する部分については同一の符号を付してあり、重複する説明については適宜省略する。
【００４９】
図６に示される第２の構成例では、撮像装置１が、新たにドップラセンサ３１を有している点が異なり、その他の構成は同様である。
【００５０】
ドップラセンサ３１は、マイクロ波の信号を送信信号として出力するとともに、出力した送信信号が所定の物体に反射して周波数が変更され、所定のドップラ周波数となった反射信号（以下、ドップラ信号という。）を受信する。ドップラセンサ３１が出力する送信信号の周波数は、例えば、24.11GHzである。
【００５１】
そして、ドップラセンサ３１は、受信したドップラ信号の出力レベルを、予め設定された基準レベルＶＴＨと比較し、その出力レベルが基準レベルＶＴＨ以上である場合に、ゴルフクラブ３のクラブヘッドを検出したことを示す検出信号を制御部２３に供給する。
【００５２】
制御部２３は、ゴルフクラブ３のクラブヘッドを検出したことを示す検出信号がドップラセンサ３１から供給された場合、LED１２を常時点灯させるとともに、撮像部１１に１枚の画像を撮像させ、撮像結果をベース画像として取得し、データ記憶部２２に記憶させる。
【００５３】
ベース画像取得後は、上述した第１の構成と同様に、制御部２３は、高速撮影を開始し、ベース画像と、撮像部１１から供給される高フレームレート画像の監視エリアを比較して、インパクトの瞬間を検出する。そして、制御部２３は、インパクトの瞬間から所定数の高フレームレート画像を特定し、特定された所定数の高フレームレート画像のなかから２枚の高フレームレート画像を選択して、ゴルフボール４の挙動を解析する。
【００５４】
［第２の解析処理のフローチャート］
図７のフローチャートを参照して、解析システムの第２の構成例による第２の解析処理を説明する。この処理は、例えば、操作入力部２５において、ユーザによって「測定開始」が指示されたときに開始される。
【００５５】
初めに、ステップＳ２１において、制御部２３は、ドップラセンサ３１を動作させる。ドップラセンサ３１は、制御部２３からの指令に基づいて、送信信号の出力を開始する。
【００５６】
ステップＳ２２において、制御部２３は、ドップラセンサ３１がゴルフクラブ３のクラブヘッドを検出したか、すなわち、ドップラセンサ３１からクラブヘッドを検出したことを示す検出信号が供給されたかを判定する。
【００５７】
ステップＳ２２で、クラブヘッドをまだ検出していないと判定された場合、処理はステップＳ２１に戻り、ステップＳ２１およびＳ２２の処理が繰り返される。
【００５８】
一方、ステップＳ２２で、クラブヘッドを検出したと判定された場合、処理はステップＳ２３に進み、制御部２３は、LED１２を常時点灯させる。
【００５９】
ステップＳ２４において、制御部２３は、撮像部１１に１枚の画像を撮像させ、撮像結果をベース画像として取得し、データ記憶部２２に記憶させる。
【００６０】
ステップＳ２５において、制御部２３は、撮像部１１に高速撮影を開始させる。撮像部１１は、制御部２３からの高速撮影開始の指令に基づいて、高速撮影を開始する。
【００６１】
ステップＳ２６ないしＳ２９の処理は、上述した図３のステップＳ５ないしＳ８のそれぞれと同様であるので、説明は省略する。
【００６２】
以上のように、第２の解析処理では、制御部２３は、ドップラセンサ３１によりゴルフクラブ３のクラブヘッドが検出されたとき、高速撮影の開始準備ができたと判定し、ゴルフボール４が静止している状態のベース画像を取得する。そして、制御部２３は、LED１２を常時点灯させ、高速撮影を開始させる。次に、制御部２３は、取得したベース画像に基づいてゴルフボール４が動き始めた瞬間を、インパクトの瞬間として検出して、インパクト後の２枚の高フレームレート画像を特定し、ゴルフボール４の挙動を解析する。プレーヤは、撮像装置１の撮像領域内にゴルフボール４が置かれるようにセッティングするだけなので、簡単に、ゴルフボール４の挙動を解析することができる。また、解析装置２としての携帯端末に、撮像部１１とLED１２を備える撮像装置１があれば、ゴルフボール４の挙動を解析することができるので、安価なシステムを構築することができる。すなわち、より安価で簡易な、ゴルフボールの挙動を解析する解析システムを提供することができる。
【００６３】
図１の解析システムは、上述した第１の構成または第２の構成のいずれか一方のみを備えるものでもよいし、両方を備え、必要に応じて第１の処理または第２の処理を切り替える構成でもよい。
【００６４】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００６５】
図８は、解析装置２がコンピュータで実現される場合のハードウエアの構成例を示すブロック図である。
【００６６】
コンピュータにおいて、CPU（Central Processing Unit）５１，ROM（Read Only Memory）５２，RAM（Random Access Memory）５３は、バス５４により相互に接続されている。
【００６７】
バス５４には、さらに、入出力インタフェース５５が接続されている。入出力インタフェース５５には、入力部５６、出力部５７、記憶部５８、通信部５９、及びドライブ６０が接続されている。
【００６８】
入力部５６は、キーボード、マウス、マイクロホンなどよりなる。出力部５７は、ディスプレイ、スピーカなどよりなる。記憶部５８は、ハードディスクや不揮発性のメモリなどよりなる。通信部５９は、ネットワークインタフェースなどよりなる。ドライブ６０は、磁気ディスク、光ディスク、光磁気ディスク、或いは半導体メモリなどのリムーバブル記録媒体６１を駆動する。
【００６９】
以上のように構成されるコンピュータでは、CPU５１が、例えば、記憶部５８に記憶されているプログラムを、入出力インタフェース５５及びバス５４を介して、RAM５３にロードして実行することにより、上述した一連の処理が行われる。
【００７０】
コンピュータでは、プログラムは、リムーバブル記録媒体６１をドライブ６０に装着することにより、入出力インタフェース５５を介して、記憶部５８にインストールすることができる。また、プログラムは、ローカルエリアネットワーク、インターネット、デジタル衛星放送といった、有線または無線の伝送媒体を介して、通信部５９で受信し、記憶部５８にインストールすることができる。その他、プログラムは、ROM５２や記憶部５８に、あらかじめインストールしておくことができる。
【００７１】
なお、本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【００７２】
本明細書において、システムとは、複数の装置により構成される装置全体を表すものである。
【００７３】
本発明の実施の形態は、上述した実施の形態に限定されるものではなく、本発明の要旨を逸脱しない範囲において種々の変更が可能である。
【符号の説明】
【００７４】
１  撮像装置
２  解析装置
１１  撮像部
１２  LED
２１  ループメモリ
２２  データ記憶部
２３  制御部
２４  表示部
２５  操作入力部
３１  ドップラセンサ
【図１】
2013236659.tif 000003
【図２】
2013236659.tif 000004
【図３】
2013236659.tif 000005
【図４】
2013236659.tif 000006
【図５】
2013236659.tif 000007
【図６】
2013236659.tif 000008
【図７】
2013236659.tif 000009
【図８】
2013236659.tif 000010